(57)【要約】【課題】  従来の発明、製品は、ケースへの粘着ローラの収納と取出しを図る構造である。従って、粘着ローラのケースへの添着防止と、粘着ローラのケース内への収納、及び／又は、取出しを、容易かつ確実に達成し、かつこの粘着ローラ支持の安定性を確保すること等に関して、改良の余地がある。【解決手段】  開口を有する有底のケースと、ケースの底部に設けた、粘着ローラの軸部／リールとを受入れる受入手段と、開口の壁面に形成した係止切欠部と、ケースの開口の内方内面に形成した、粘着ローラの糊なし部に位置する離間手段とでなる粘着ローラのケースの構造であり、受入手段と、係止切欠部、並びにケース内面の糊なし部に対する離間手段との構造であり、粘着ローラの粘着テープのケースへの添着防止と、粘着ローラのケース内への差込み、引抜きが容易で、差込み、引抜きを確実に達成し、粘着ローラ支持の安定性が確保される。【選択図】      図３−１
2015062439.tif 000002
【特許請求の範囲】
【請求項１】
一方に開口を有する有底の筒状のケースと、このケースの底部に設けた、粘着ローラの軸部、及び／又は、リールとを受入れる受入手段と、前記開口の壁面に形成した、この開口より前記底部に向かった係止切欠部と、前記ケースの開口の内方内面に形成した、前記粘着ローラを、前記ケースに収納した際に、この粘着ローラの糊なし部に位置する離間手段とで構成した、粘着ローラのケースの構造。
【請求項２】
前記受入手段は、前記底部に立設した指サック形の筒体であり、この筒体の頂部に、前記底部に向かって孔を有し、この筒体は、頂部、及び／又は、近傍部が円弧形状とする構成とした請求項１に記載の粘着ローラのケースの構造。
【請求項３】
前記筒体の基端側は、開口部とし、この開口部は、この筒体に弾性力を付与可能とするとともに、中子挿入空間として活用可能とする構成とした請求項２に記載の粘着ローラのケースの構造。
【請求項４】
前記筒体の基端部の肉厚に対して、前記頂部、及び／又は、近傍部に向かって、この肉厚を、順次、薄くする構成とした請求項２記載の粘着ローラのケースの構造。
【請求項５】
前記離間手段は、前記ケースの開口の内方内面に、間欠的に形成した卵形、突起、帯片、又は円周に形成した卵形、突起、帯片の何れかでなる構成とした請求項１に記載の粘着ローラのケースの構造。
【請求項６】
前記ケースの内面の径と、粘着ローラの粘着テープの最大巻量の径との寸法構成は、内面の径＞粘着テープの最大巻量の径となることを特徴とする構成とした請求項１に記載の粘着ローラのケースの構造。
【請求項７】
前記係止切欠部は、前記開口より前記底部に向かった係止ガイド溝と、この係止ガイド溝の入口側に拡開形状とした差込み部と、当該ガイド溝の底部に形成した半截球形の係止鍵部とでなる構成とした請求項１に記載の粘着ローラのケースの構造。
【発明の詳細な説明】
【技術分野】
【０００１】
本発明は、粘着ローラのケースの構造に関し、ケースに粘着ローラを、容易、かつ確実に収容でき、しかもケースの内面に、粘着ローラの糊の付着が、極めて少ない構造を提案する。
【背景技術】
【０００２】
本発明と関連がある先行文献と、この先行文献の製品に関して、文献１〜４として説明する。
【０００３】
全体構造として、文献１が挙げられる。特開２００６−６８６０号公報であり、蓋付きケース（ケース本体）の一方壁部に突起を設け、粘着ローラの一方の凹部に設けた嵌合部を係止するとともに、ケースの他方壁部に、粘着ローラの他方の枝部を差込む、切欠孔を形成した構造であり、ケースに粘着ローラを、架設支持し、粘着ローラのケース本体内面への添着防止（糊付着防止）を図ることが開示されている。
【０００４】
また、全体構造として、文献２が挙げられる。特開２００７−２８９３０１号公報であり、一方に開口を有するスリーブケース（ケース）の一方底部（壁部）に切欠部を設け、粘着ローラの一方の凹部に設けた係止リブを係止するとともに、ケースの他方開口（壁部）に、粘着ローラの他方のフランジ部を嵌合係止する構造であり、ケースに粘着ローラを、架持し、粘着ローラのケース体内面への添着防止を図ることにある。また、ケースの内面には、樹脂コーティングを施し、粘着ローラの粘着用の糊が付着しない構造が開示されている。
【０００５】
ケースと粘着ローラの柄との構造として、文献３が挙げられる。実開昭６０−１７９２７０号公報であり、ケースの開口に嵌合用切込み部を形成し、柄を、確実かつ確実に拘束する構造が開示されている。但し、柄は、切込み部への差込みと、ケースに嵌合された蓋との圧接係止で固定される構造である。
【０００６】
粘着ローラの底部に、栓を取付ける構造として、文献４が挙げられる。実開昭５８−９８０６３号公報であり、握り部を備え、付着具（粘着ローラ）を支持する軸部と、この軸部の底部に嵌合され、付着具を固定する栓とでなるロール敷携帯用ほこり取具が開示されている。しかし、栓は粘着テープ筒を取付ける部材である。
【０００７】
ケースへの粘着ローラの糊付着を回避する構造として複数の文献５、６が挙げられる。
実開昭６１−１８８５６０号公報と、実用新案登録第３１８２６６６号公報であり、ケースの内面に、円周方向へのリブとか、その内面に、長手方向へのリブを設けた構造が有り、このリブのみへの糊の付着を容認する構造が開示されている。
【０００８】
【特許文献１】特開２００６−６８６０号公報
【特許文献２】特開２００７−２８９３０１号公報
【特許文献３】実開昭６０−１７９２７０号公報
【特許文献４】実開昭５８−９８０６３号公報
【特許文献５】実開昭６１−１８８５６０号公報
【特許文献６】実用新案登録第３１８２６６６号公報
【発明の概要】
【発明が解決しようとする課題】
【０００９】
前述した文献１〜３に挙げた発明等は、粘着ローラとケースの全体構造であるが、本発明が目的とする、粘着ローラのケースへの添着防止とともに、粘着ローラのケース内への収納、及び／又は、引抜きを、容易かつ確実に達成し、かつこの粘着ローラ支持の安定性を確保すること等に関して、改良の余地がある。また、文献４に挙げた考案は、栓の構造は、本発明が目的とする、粘着ローラを、ケースに収容固定する構造とは異なる。文献５、６に挙げた考案は、粘着ローラのケースへの添着防止構造であるが、本発明が目的とする、粘着ローラのケースへの添着防止とは、着想と構造が、全く異なる。
【課題を解決するための手段】
【００１０】
上記に鑑み、本発明は、粘着ローラのケースへの添着防止を、粘着ローラの構造（糊なし部）の特徴を利用すること、ケースの底部に設けた指サック形の筒体の構造、筒体素材を選択すること、等で達成する。
【００１１】
本発明は、ケースに粘着ローラを納める（収納する）際と、納めた後（収納時）において、ケースの内面と、粘着ローラの粘着面（糊）が、接触しない構造であり、内面への糊付着防止と、粘着面の接着効果を損傷しないこと、等を意図する。
【００１２】
また、本発明は、粘着ローラのケース内への収納と（差込み）、及び／又は、引抜き（取出し）を、容易かつ確実に達成し、かつこの粘着ローラ支持の安定性を確保するために、ケースの開口に係止切欠部と、前記ケースと粘着ローラ、及び／又は、ケースの大きさの選択、並びにケースの底部に設けた指サック形の筒体の、それぞれ構造を選択すること、等で達成する。
【発明の効果】
【００１３】
請求項１の発明は、一方に開口を有する有底の筒状のケースと、ケースの底部に設けた、粘着ローラの軸部、及び／又は、リールとを受入れる受入手段と、開口の壁面に形成した、開口より底部に向かった係止切欠部と、ケースの開口の内方内面に形成した、粘着ローラを、ケースに収納した際に、粘着ローラの糊なし部に位置する離間手段とで構成した、粘着ローラのケースの構造である。
【００１４】
これにより、請求項１では、ケース底部の受入手段と、ケース開口の係止切欠部、並びにケース内面の糊なし部に対する離間手段とを採用する構造であり、粘着ローラの粘着テープのケースへの添着防止と、粘着ローラのケース内への差込み、及び／又は、取出しを、容易かつ確実に達成できること、粘着ローラ支持の安定性が図れること、等の特徴がある。
【００１５】
請求項２の発明は、受入手段は、底部に立設した指サック形の筒体であり、筒体の頂部に、底部に向かって孔を有し、筒体は、頂部、及び／又は、近傍部が円弧形状とする構成とした粘着ローラのケースの構造である。
【００１６】
これにより、請求項２では、請求項１の目的を達成するための、最適な、指サック形の筒体の受入手段の一例を提供できる。
【００１７】
請求項３の発明は、筒体の基端側は、開口部とし、開口部は、筒体に弾性力を付与可能とするとともに、中子挿入空間として活用可能とする構成とした粘着ローラのケースの構造である。
【００１８】
これにより、請求項３では、請求項１、及び請求項２の目的を達成するための、最適な、指サック形の筒体の開口部の一例を提供できる。
【００１９】
請求項４の発明は、筒体の基端部の肉厚に対して、頂部、及び／又は、近傍部に向かって、肉厚を、順次、薄くする構成とした粘着ローラのケースの構造である。
【００２０】
これにより、請求項４では、請求項１の目的を達成するための、最適な、指サック形の筒体の受入手段の一例を提供できる。
【００２１】
請求項５の発明は、離間手段は、ケースの開口の内方内面に、間欠的に形成した卵形、突起、帯片、又は円周に形成した卵形、突起、帯片の何れかでなる構成とした粘着ローラのケースの構造である。
【００２２】
これにより、請求項５では、請求項１の目的を達成するための、最適な、ケースの開口の内方内面に形成した卵形、突起、帯片の何れかでなる離間手段の一例を提供できる。
【００２３】
請求項６の発明は、ケースの内面の径と、粘着ローラの粘着テープの最大巻量の径との寸法構成は、内面の径＞粘着テープの最大巻量の径となることを特徴とする構成とした粘着ローラのケースの構造である。
【００２４】
これにより、請求項６では、粘着ローラを、受入手段と、この請求項６の構造とを利用し、ケースに、傾斜状態に支持できる特徴と、この特徴によって、粘着テープのケース内面への接触、並びに前記粘着ローラをケース内への差込み、及び／又は、取出しを、容易かつ確実に達成し、かつこの粘着ローラ支持の安定性の確保が図れること、並びにケースに粘着ローラを納める際、納めた後（収納時）において、ケースの内面と、粘着ローラの粘着面（糊）が、接触しない構造であり、内面（筒周面、開口周面）、底面等の面への糊付着防止と、粘着面の接着効果を損傷しないこと、等の特徴がある。
【００２５】
請求項７の発明は、係止切欠部は、開口より底部に向かった係止ガイド溝と、係止ガイド溝の入口側に拡開形状とした差込み部と、ガイド溝の底部に形成した半截球形の係止鍵部とでなる構成とした粘着ローラのケースの構造である。
【００２６】
これにより、請求項７では、請求項１の目的を達成するための、最適な、ケースの開口に形成した係止切欠部の一例を提供できる。
【図面の簡単な説明】
【００２７】
【図１】ケースに粘着ローラを収容した状態の斜視図
【図２】ケースより粘着ローラを取出した状態の斜視図
【図３−１】ケースに粘着ローラを収容した状態の一例を示した側面視した拡大断面図と、各要部を拡大した断面図
【図３−２】ケースに粘着ローラを収容した状態の他の好ましい一例を示した側面視した断面図
【図４−１】ケースに粘着ローラを収容した状態の拡大正面図
【図４−２】粘着ローラの端部を表した拡大背面図
【図５】ケースの開口に設けた係止切欠部と、粘着ローラの柄との関係の一例の側面視した要部の拡大側面図と、一部を拡大した断面図
【図６】ケースの底部の受入手段の別の一例の側面視した拡大断面図
【図７−１】ケースの開口の離間手段の一例の側面視した拡大断面図
【図７−２】ケースの開口の離間手段の他の一例の側面視した拡大断面図
【図７−３】ケースの開口の離間手段のその他の一例の側面視した拡大断面図
【図７−４】ケースの開口の離間手段のさらに他の一例の側面視した拡大断面図
【発明を実施するための形態】
【００２８】
本発明の全体が理解できる断面図を示す、図３−１において、好ましい一例として、例えば、薄肉樹脂製で形成した筒形で可撓性のケース１には、粘着ローラ２が、収納（差込み）、又は引抜き（取出し）自在に収容される。
【００２９】
以下、各図を基に、ケース１と、粘着ローラ２の好ましい一例を説明する。
【００３０】
ケース１は、一方側１ａ（一方）が開口１００で、他方側１ｂ（他方）が底部１０１と成っており、この底部１０１には、受入手段Ａが設けられている。この受入手段Ａは、図３−１に示した、一例では、底部１０１に立設した指サック形の可撓性部材でなる筒体３であり、筒体３の頂部３ａに、底部１０１に向かって孔３００を形成する。また、筒体３は、頂部３ａ、及び／又は、近傍部３ｂが円弧形状であり、その本体部３ｃ及び基端部３ｄが円筒形状とする。そして、図示しないが、基端部３ｄから、頂部３ａに向かって、弾性確保と、及び／又は、強度確保等を意図して、順次、肉薄構造とすることも有り得る。尚、図６に示した、他の一例では、底部１０１と一体構造とし、例えば、図示しない、底部１０１に設けた開口部３０１を、図示しない、中子挿入空間として活用する。この他の一例では、ケース１と筒体３を、一工程で形成可能とする。筒体３の本体部３ｃの外面と、ケース１の内面１ｃとの間には、環状の隙間５が形成される。この筒体３の構造が、本発明のポイントの一つである。
【００３１】
このケース１の開口１００には、粘着ローラ２の柄２００が係止される、１個、又は数個の係止切欠部Ｂが形成されている。この係止切欠部Ｂは、開口１００の端部の差込み部６と、開口１００の端部よりケース１の底部１０１に向かって形成した細長溝形状の係止ガイド溝６００（柄２００の外径より細幅である）と、係止ガイド溝６００の基端に形成した膨出形状の係止鍵部６０１（柄２００の外径と、略同径孔である）とで構成し、柄２００を、差込み部６より係止ガイド溝６００に差込み、この係止ガイド溝６００を拡径（細幅を広くすることで、所謂、拡開する）しながら係止鍵部６０１に向かって移動し、係止鍵部６０１に至ると、係止鍵部６０１に柄２００が納まるとともに、拡径した係止ガイド溝６００が戻り、縮径して（細幅となり）、柄２００の自然の外れを無くす構造とする。即ち、ロック機能が働く構造である。また、係止鍵部６０１に至った際に、ケース１の素材と、柄２００の金属製素材との当りで、「カチッ」との音が生じることで、その係止状態を確認でき、かつ安心できる。尚、係止ガイド溝６００の入口側は、図示しないが、拡開形状も有り得る。また、ケース１は、手で握った際に、窪まない構造とすることで、後述する粘着ローラの粘着面への接触回避が図れる。
【００３２】
粘着ローラ２は、本体２ａと、この本体２ａに、取付け、取外し自在に設ける粘着テープ筒２ｂとで構成されてあり、粘着テープ筒２ｂは、後述する本体２ａのリールの円筒外周面に、着脱自在に設けられる。この本体２ａは、略Ｌ字形を呈する柄２００と、この柄２００の基端部２００ａに設けた、凹部２０１ａ、２０１ｂを両端部に有するリール２０１と、このリール２０１の自由端に設けた軸部２０２と、柄２００の自由端部２００ｂに設けた握部２０３で構成されている。また、粘着テープ筒２ｂは、筒状の紙管２０５と、この紙管２０５の外周に連繋、かつ積層して設けた粘着面２０６ａを備える粘着テープ２０６と、この粘着テープ２０６に適宜間隔で設けたカット用のミシン目２０７とで構成されている。尚、粘着テープ２０６の両端部には、糊なし部２０６ｂを設ける（両端部が、粘着面２０６ａなしの構造である）。この両端部の粘着面２０６ａなしの構造は、離間突起（後述する）、ケース１の内面１ｃ、又はケース１の底面１０１等への糊の付着防止を図るためである。さらに、両端部の粘着面２０６ａなしの構造は、粘着テープ２０６の剥離の容易化と、簡便化等を図ること、或いは糊ダレ回避等を図る。
【００３３】
粘着テープ筒２ｂと粘着テープ２０６との関係の一例を説明すると、粘着テープ筒２ｂの粘着テープ２０６が無くなった場合には、本体２ａのリール２０１より、粘着テープ筒２ｂを引抜き、粘着テープ筒２ｂを取外すと、リール２０１が空となるので、このリール２０１に、新しい、粘着テープ筒２ｂを差込み、セットすることで、粘着ローラ２の使用ができる。
【００３４】
前記ケース１の開口１００の内方Ｘで、かつ内面１ｃには、離間手段Ｃが設けられており、図７−１〜図７−４に示した各例がある。例えば、図７−１では、間隔を置いて設けた楕円形膨出形状の離間突起１０であり、糊なし部２０６ｂにより離間する構造として、ケース１の内面１ｃと、粘着テープ筒２ｂの粘着面２０６ａとの接触回避を図ることと、この粘着面２０６ａの粘着効果の劣化回避等を図る。図７−２では、環状で、かつ断面山形形状の離間突起１０を、また、図７−３では、間欠式で、かつ断面山形形状の離間突起１０を、さらに、図７−４では、間欠式で、かつ滴形形状の離間突起１０を、それぞれ示している。何れにしても、接触面積が少ない形状が、粘着ローラ２ｂの差込み（差入れ）時、引抜き時における、粘着面２０６ａとの接触回避が図り、糊の付着を無くすことを目的とする。この構造が、本発明のポイントの一つである。そして、この離間突起１０は開口側をスロープ形状１０ａとすることで、粘着テープ２０６の粘着面２０６ａとの接触を避けえる特徴がある。さらに、この離間突起１０の各構造は、開口１００を始めとして、ケース１の補強（窪み防止）となり、また、このケース１の肉薄化に寄与できることと、前述した粘着ローラ２０６の粘着面２０６ａへの接触回避が図れる。尚、開口１００には、粘着テープ２０６の粘着面２０６ａとの接触を避けるために、開口１００に向かって、曲面肉薄となった拡開スロープ１００ａを設ける構成する。
【００３５】
続いて、ケース１に粘着ローラ２を出し入れする一例を説明すると、ケース１の開口１００より、粘着ローラ２の本体２２ａと粘着ローラ２の、図３において、左側より差入れる。その際に、粘着テープ筒２ｂの差込み側（向かって左側）の粘着面２０６ａが、離間突起１０に接触しないように差込み操作する。そして、本体２ａの軸部２０２が、ケース１の底部１０１に設けた筒体３の孔３００に挿入されていき（差込まれていき）、差込みが終了すると（収納されると）、筒体３の周辺には、間隔Ｙを置いてリール２０１の凹部２０１ｂが設けられる（間隔Ｙを無くすことも可能である。間隔Ｙがない状態では、粘着テープ筒２ｂのスムースな差込みができること、又は、粘着テープ筒２ｂが、ケース１の内面１ｃに、平行となるように支持される）。また、この差込みが進行する過程で、柄２００が、係止切欠部Ｂに入り込んでいき、差込みが終了する時点で、柄２００が係止鍵部６０１にカチッと音を出して填り込み、安全と操作の確実性を認識できる。また、粘着テープ筒２ｂが、ケース１の底部１０１に接触しない構造が理想であり、軸部２０２の先端が、底部１０１に衝止するか、又は筒体３の底部（符号なし）に衝止して停止する構造を採用する。さらに、収納時において、柄２００と係止鍵部６０１との緊締（挾持）状態によるが、粘着テープ筒２ｂの糊なし部２０６ｂは、離間突起１０に非接触する。但し、場合によっては接触で支持される。尚、粘着テープ筒２ｂの引抜きは、柄２００を、ケース１の開口１００に向かって、引抜くことで、内面１ｃには、開口１００の内方Ｘに離間突起１０があるのみであり、スムース、かつ確実に取出せることと、この際に、粘着面２０６ａが、内面１ｃに接触することは、極めて少なくなること、等の利点がある。
【００３６】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００３７】
１          ケース
１ａ        一方側
１ｂ        他方側
１ｃ        内面
１００      開口
１００ａ    拡開スロープ
１０１      底部
２          粘着ローラ
２ａ        本体
２ｂ        粘着テープ筒
２００      柄
２００ａ    基端部
２００ｂ    自由端部
２０１      リール
２０１ａ    凹部
２０１ｂ    凹部
２０２      軸部
２０３      握部
２０５      紙管
２０６      粘着テープ
２０６ａ    粘着面
２０６ｂ    糊なし部
２０７      ミシン目
３          筒体
３ａ        頂部
３ｂ        近傍部
３ｃ        本体部
３ｄ        基端部
３００      孔
３０１      開口部
５          隙間
６          差込み部
６００      係止ガイド溝
６０１      係止鍵部
１０        離間突起
１０ａ      スロープ形状
Ａ          受入手段
Ｂ          係止切欠部
Ｃ          離間手段
Ｘ          内方
Ｙ          間隔
【図３−１】
2015062439.tif 000003
【図１】
2015062439.tif 000004
【図２】
2015062439.tif 000005
【図３−２】
2015062439.tif 000006
【図４−１】
2015062439.tif 000007
【図４−２】
2015062439.tif 000008
【図５】
2015062439.tif 000009
【図６】
2015062439.tif 000010
【図７−１】
2015062439.tif 000011
【図７−２】
2015062439.tif 000012
【図７−３】
2015062439.tif 000013
【図７−４】
2015062439.tif 000014